(57)【要約】【課題】起動時において燃料電池の補機を支障無く駆動できるようにする。【解決手段】燃料電池ユニット２は、化学反応により発電可能なＤＭＦＣ２２とこのＤＭＦＣ２２の補機２２２、２２４、２２６に電力を供給可能な２次電池２３とを内蔵している。この燃料電池ユニット２は、電子機器１に接続される。電子機器１の側では、電源オフ時、２次電池２３の残量が所定値より少ないか否かを判定する。この判定で２次電池２３の残量が所定値より少ないと判定された場合、電子機器１は、燃料電池ユニット２に２次電池２３の充電を行わせ、その後にＤＭＦＣ２２の動作を停止させる。【選択図】    図３
2004227832.tif 000002
【特許請求の範囲】
【請求項１】
化学反応により発電可能な燃料電池と充放電可能な２次電池とを具備する電子機器において、
前記電子機器の電源がオフされる際に、前記２次電池の容量が所定値より少ないか否かを判断する手段と、
前記判断手段により前記２次電池の容量が所定値より少ないと判断された場合、前記２次電池の充電を行う手段と
を具備することを特徴とする電子機器。
【請求項２】
前記２次電池の充電中、所定の指示があった場合、前記充電の停止を行う手段を更に具備することを特徴とする請求項１記載の電子機器。
【請求項３】
前記２次電池が充電中であっても、所定の指示があれば、前記充電を中止させ、前記電子機器の電源をオンさせる手段を更に具備することを特徴とする請求項１記載の電子機器。
【請求項４】
前記充電を開始してから所定時間が経過した場合、当該充電の停止を行う手段を更に具備することを特徴とする請求項１記載の電子機器。
【請求項５】
前記充電を開始してから前記２次電池の容量が第２の所定値を超えた場合、当該充電の停止を行う手段を更に具備することを特徴とする請求項１記載の電子機器。
【請求項６】
化学反応により発電可能な燃料電池と充放電可能な２次電池とを具備する電子機器の動作制御方法において、
前記電子機器の電源がオフされる際に、前記２次電池の容量が所定値より少ないか否かを判断し、
判断において前記２次電池の容量が所定値より少ないと判断された場合、前記２次電池の充電を行う
ことを特徴とする動作制御方法。
【請求項７】
前記２次電池の充電中、所定の指示があった場合、前記充電の停止を行うことを特徴とする請求項６記載の動作制御方法。
【請求項８】
前記２次電池が充電中であっても、所定の指示があれば、前記充電を中止させ、前記電子機器の電源をオンさせることを特徴とする請求項６記載の動作制御方法。
【請求項９】
前記充電を開始してから所定時間が経過した場合、当該充電の停止を行うことを特徴とする請求項６記載の動作制御方法。
【請求項１０】
前記充電を開始してから前記２次電池の容量が第２の所定値を超えた場合、当該充電の停止を行うことを特徴とする請求項６記載の動作制御方法。
【請求項１１】
化学反応により発電可能な燃料電池と繰り返し充放電可能な２次電池とを具備する電池ユニットと、この燃料電池ユニットから供給される電力により動作可能な電子機器とを具備する電子機器システムにおいて、
前記電子機器は、
前記電子機器の電源がオフされる際に、前記２次電池の容量が所定値より少ないか否かを判断する手段と、
前記判断手段により前記２次電池の容量が所定値より少ないと判断された場合、前記２次電池の充電を指示する手段とを有し、
前記電池ユニットは、
前記指示に基づいて前記燃料電池で発生した電力を用いて前記２次電池の充電を行う手段を有する
ことを特徴とする電子機器システム。
【請求項１２】
前記２次電池が充電中であっても、所定の指示があれば、前記充電を中止させ、前記電子機器の電源をオンさせる手段を更に具備することを特徴とする請求項１１記載の電子機器システム。
【請求項１３】
前記充電を開始してから所定時間が経過した場合、当該充電の停止を行う手段を更に具備することを特徴とする請求項１１記載の電子機器システム。
【請求項１４】
前記充電を開始してから前記２次電池の容量が第２の所定値を超えた場合、当該充電の停止を行う手段を更に具備することを特徴とする請求項１１記載の電子機器システム。
【発明の詳細な説明】
【０００１】
【発明の属する技術分野】
本発明は、例えばダイレクト・メタノール方式の燃料電池を電源として動作可能な電子機器システムの動作制御技術に関する。
【０００２】
【従来の技術】
近年、例えばＰＤＡ（Ｐｅｒｓｏｎａｌ  Ｄｉｇｉｔａｌ  Ａｓｓｉｓｔａｎｔ）などと称される携帯情報端末やデジタルカメラなど、バッテリにより駆動可能な携帯型の電子機器が種々開発され、広く普及している。
【０００３】
また、最近、環境問題が大きな注目を集めており、環境に配慮したバッテリ開発も盛んに行われている。そして、この種のバッテリとして、ダイレクト・メタノール型燃料電池（以下、ＤＭＦＣ：Ｄｉｒｅｃｔ  Ｍｅｔｈａｎｏｌ  Ｆｕｅｌ  Ｃｅｌｌ）が良く知られている。
【０００４】
このＤＭＦＣは、燃料として与えられるメタノールと酸素を反応させ、その化学反応により電気エネルギーを得るものであり、多孔性金属または炭素からなる２つの電極が電解質をはさんだ構造をもつ。そして、このＤＭＦＣは、有害な廃棄物を発生させないため、その実用化が強く求められている。
【０００５】
ところで、ＤＭＦＣには、ポンプやファンなどの補機が備えられている。ＤＭＦＣの起動時にはこれらの補機を駆動する必要があるため、ＤＭＦＣにはリチウム電池などの２次電池が設けられている。
【０００６】
２次電池に関する技術としては、特許文献１に示されるものがある。この文献には、燃料電池本体の起動初期において、補機へ電力を供給する起動用電池（２次電池）が開示されている。
【０００７】
【特許文献１】
特開平１１−１５４５２０号公報（段落［００１７］等）
【０００８】
【発明が解決しようとする課題】
しかしながら、上記文献の技術では、燃料電池の起動時に（もしくは電子機器の起動時に）、ポンプやファンなどの補機に電力を供給する２次電池の残量が十分でない場合、当該燃料電池を正常に起動させることができないという問題がある。
【０００９】
こうしたことから、燃料電池の起動時には、燃料電池の補機を駆動するのに必要な残量が２次電池に確保されていることを保証するシステムの提示が望まれる。
【００１０】
本発明は上記実情に鑑みてなされたものであり、起動時において燃料電池の補機を支障無く駆動できるようにする電子機器、電子機器システム、及び動作制御方法を提供することを目的とする。
【００１１】
【課題を解決するための手段】
本発明に係る電子機器は、化学反応により発電可能な燃料電池と充放電可能な２次電池とを具備する電子機器において、前記電子機器の電源がオフされる際に、前記２次電池の容量が所定値より少ないか否かを判断する手段と、前記判断手段により前記２次電池の容量が所定値より少ないと判断された場合、前記２次電池の充電を行う手段とを具備することを特徴とする。
【００１２】
また、本発明に係る動作制御方法は、化学反応により発電可能な燃料電池と充放電可能な２次電池とを具備する電子機器の動作制御方法において、前記電子機器の電源がオフされる際に、前記２次電池の容量が所定値より少ないか否かを判断し、判断において前記２次電池の容量が所定値より少ないと判断された場合、前記２次電池の充電を行うことを特徴とする。
【００１３】
また、本発明に係る電子機器システムは、化学反応により発電可能な燃料電池と繰り返し充放電可能な２次電池とを具備する電池ユニットと、この燃料電池ユニットから供給される電力により動作可能な電子機器とを具備する電子機器システムにおいて、前記電子機器は、前記電子機器の電源がオフされる際に、前記２次電池の容量が所定値より少ないか否かを判断する手段と、前記判断手段により前記２次電池の容量が所定値より少ないと判断された場合、前記２次電池の充電を指示する手段とを有し、前記電池ユニットは、前記指示に基づいて前記燃料電池で発生した電力を用いて前記２次電池の充電を行う手段を有することを特徴とする。
【００１４】
【発明の実施の形態】
以下、図面を参照して本発明の実施形態を説明する。
図１は、本発明の一実施形態に係る電子機器システムの外観を示す図である。
【００１５】
図１に示すように、この実施形態の電子機器システムは、電子機器１と、この電子機器１に着脱自在な燃料電池ユニット２とで構成される。電子機器１は、内側面にＬＣＤ（Ｌｉｑｕｉｄ  Ｃｒｙｓｔａｌ  Ｄｉｓｐｌａｙ）を配したフタ部がヒンジ機構により開閉自在に本体部に取り付けられたノート型のパーソナルコンピュータであり、燃料電池ユニット２から供給される電力により動作可能である。一方、燃料電池ユニット２は、化学反応により発電可能なＤＭＦＣと、繰り返し充放電可能な２次電池とを内蔵している。
【００１６】
図２は、燃料電池ユニット２の概略構成を示す図である。
【００１７】
図２に示すように、燃料電池ユニット２は、マイコン２１、ＤＭＦＣ２２、２次電池２３、充電回路２４、供給制御回路２５、および操作ボタン２６を有している。
【００１８】
マイコン２１は、この燃料電池ユニット２全体を動作制御するものであり、電子機器１との間で信号を送受信する通信機能を有する。また、マイコン２１は、電子機器１からの指示信号に従ってＤＭＦＣ２２や２次電池２３の動作を制御したり、操作ボタン２６の操作に応じて対応する処理を実行したりする。
【００１９】
ＤＭＦＣ２２は、カートリッジ式の燃料タンク２２１を着脱できるようになっており、この燃料タンク２２１に格納されたメタノールと空気（酸素）とを化学反応させた際に発電される電力を出力する。この化学反応は、セルスタックなどと称される反応部で行われるが、このセルスタックにメタノールと空気とを効率的に送り込むために、このＤＭＦＣ２２は、ポンプなどの補助機構を備えている。また、このＤＭＦＣ２２は、燃料タンク２２１の装着有無、燃料タンク２２１内のメタノールの残量、補助機構の稼働状況および現在の出力電力量をマイコン２１に通知する機構を有する。
【００２０】
２次電池２３は、ＤＭＦＣ２２から出力される電力を充電回路２４経由で蓄積し、マイコン２１からの指示に応じて、この蓄積した電力を出力する。また、この２次電池２３は、その放電特性などを示す基本情報を保持するＥＥＰＲＯＭ２３１を備えている。このＥＥＰＲＯＭ２３１は、マイコン２１からアクセスすることができ、また、２次電池２３は、現在の出力電圧値および出力電流値をマイコン２１に通知する機構を有する。そして、マイコン２１は、ＥＥＰＲＯＭ２３１から読み出した基本情報と２次電池から通知される出力電圧値および出力電流値とから２次電池２３のバッテリ残量を算出し、その値を電子機器１へ通知する。なお、ここでは、この２次電池２３は、リチウム電池（ＬＩＢ）であるものと想定する。
【００２１】
充電回路２４は、ＤＭＦＣ２２から出力される電力を用いて２次電池２３を充電するための回路であり、その充電有無はマイコン２１によって制御される。
【００２２】
供給制御回路２５は、ＤＭＦＣ２２および２次電池２３の電力を状況に応じて外部出力するための回路である。
【００２３】
操作ボタン２６は、ＤＭＦＣ２２もしくは燃料電池ユニット２全体の動作停止などを指示するための専用ボタンである。なお、この操作ボタンと同じ機能を、例えば電子機器１側のＬＣＤ画面上でアプリケーションが提示するボタンで実現するようにしてもよいし、電子機器１側の電源ボタンを長押しする（所定時間以上押し続ける）ことで実現するようにしてもよい。
【００２４】
図３は、この燃料電池ユニット２の別の概略構成を示す図である。なお、図２と共通する要素には同一の符号を付している。
【００２５】
図３に示すように、ＤＭＦＣ２２は、燃料タンク２２１、燃料ポンプ２２２、混合タンク２２３、送液ポンプ２２４、ＤＭＦＣセルスタッック２２５および送風ポンプ２２６から構成される。
【００２６】
燃料タンク２２１のメタノールは、燃料ポンプ２２２により混合タンク２２３に送り込まれて気化される。そして、この気化されたメタノールは、送液ポンプ２２４によりＤＭＦＣセルスタック２２５に送り込まれる。また、このＤＭＦＣセルスタック２２５には、送風ポンプ２２６により空気が送り込まれ、この空気中の酸素と気化されたメタノールとが反応して発電が行われる。
【００２７】
前述のマイコン２１は、電子機器１から送信されてくる起動指示信号に応じて燃料ポンプ２２２、送液ポンプ２２４、送風ポンプ２２６やファンなどの補機を２次電池２３の電力により駆動させるための制御を行ったり、ＤＭＦＣセルスタック２２５もしくは２次電池２３から出力される電力が電子機器１へ供給されるよう供給制御回路２５を制御したりする。また、マイコン２１は、電子機器１から送信されてくる停止指示信号に応じて、ＤＭＦＣ２２の動作を停止させる前に２次電池２３の充電を行うための制御を行ったりする。
【００２８】
一方、図４は、電子機器１の概略構成を示す図である。
図４に示すように、電子機器１は、ＣＰＵ１１、ＲＡＭ（主メモリ）１２、ＨＤＤ１３、ディスプレイコントローラ１４、キーボードコントローラ１５および電源コントローラ１６がシステムバスに接続される。
【００２９】
ＣＰＵ１１は、この電子機器１全体の動作制御を司るものであり、ＲＡＭ１２に格納された各種プログラムを実行する。ＲＡＭ１２は、この電子機器１の主記憶となるメモリデバイスであり、ＣＰＵ１１によって実行される各種プログラムとこれらのプログラムに用いられる各種データとを格納する。一方、ＨＤＤ１３は、この電子機器１の外部記憶となるメモリデバイスであり、ＲＡＭ１２の補助装置として各種プログラムや各種データを大量に格納する。
【００３０】
ディスプレイコントローラ１４は、この電子機器１におけるユーザインタフェースのアウトプット側を担うものであり、ＣＰＵ１１が作成した画像データをＬＣＤ１４１に表示制御する。一方、キーボードコントローラ１５は、この電子機器１におけるユーザインタフェースのインプット側を担うものであり、キーボード１５１やポインティングデバイス１５２の操作を数値化し、内蔵するレジスタを介してＣＰＵ１１に引き渡す。
【００３１】
電源コントローラ１６は、この電子機器１内の各部に対する電力供給を制御するものであり、燃料電池ユニット２からの電力供給を受ける受電機能と、燃料電池ユニット２との間で信号を送受信する通信機能とを有する。この電源コントローラ１６との間で信号を送受信する燃料電池ユニット２側の相手は、図２及び図３に示したマイコン２１である。
【００３２】
特に、この燃料電池ユニット２のマイコン２１と電子機器１の電源コントローラ１６とが通信を行うことにより、燃料電池ユニット２に内蔵されるＤＭＦＣ２２および２次電池２３の状態をステート情報として電子機器１に通知し、これにより、この通知された状態に基づく動作制御を電子機器１で実行するようにしている。
【００３３】
本実施形態においては、ＣＰＵ１１は、電子機器１本体の電源オフ処理の時（もしくはＯＳのシャットダウン時に）、所定のプログラムを実行することにより燃料電池ユニット２の動作制御を行う。
【００３４】
すなわち、ＣＰＵ１１は、使用者による電源オフの指示（もしくはＯＳのシャットダウンの指示）があると、燃料電池ユニット２との通信で得られる情報に基づき２次電池２３の残量（容量）が所定値より少ないか否かを判定し、当該残量が所定値より少ないと判定された場合、燃料電池ユニット２に２次電池２３の充電を行わせ、その後に前記燃料電池の動作を停止させることを指示する信号を燃料電池ユニット２へ送信する。
【００３５】
なお、ＣＰＵ１１は、２次電池２３の残量が所定値より少ないと判定されなかった場合であっても、ＬＣＤ１４１などを通じて２次電池２３の充電の指示があれば、２次電池２３の充電を行わせることを指示する信号を燃料電池ユニット２へ送信する。
【００３６】
また、ＣＰＵ１１は、２次電池２３が充電中であっても、操作ボタン２６もしくはＬＣＤ１４１を通じて充電中止（もしくはＤＭＦＣ２２の動作停止）の指示があれば、充電を中止させ、ＤＭＦＣ２２の動作を停止させることを指示する信号を燃料電池ユニット２へ送信する。また、ＣＰＵ１１は、２次電池２３が充電中であっても、電子機器１の電源ボタンなどを通じて電源オンの操作があれば、充電を中止させることを指示する信号を燃料電池ユニット２へ送信し、当該電子機器１を電源オンさせる。
【００３７】
更に、ＣＰＵ１１は、電源オフ処理の時、２次電池２３の充電すべき時間や残量を指定できる画面など、２次電池２３の充電に関する各種設定を行うための画面をＬＣＤ１４１上に表示させる。
【００３８】
図５は、電源オフ処理の際に表示される設定画面の一例（２次電池の残量が十分である場合の例）を示す図である。
【００３９】
ＣＰＵ１１が２次電池２３の残量が十分であると判定した場合には、例えば「２次電池の残量は足りています。」といったメッセージが残量と共に表示される。その際、例えば「シャットダウンする」、「デフォルトで充電する」、および「条件を指定して充電する」といった選択項目がラジオボタンと共に表示される。操作者がいずれかの項目を選択してＯＫボタンを押下すると、対応する処理がＣＰＵ１１により実行されることになる。
【００４０】
図６は、電源オフ処理の際に表示される設定画面の一例（２次電池の残量が不十分である場合の例）を示す図である。
【００４１】
ＣＰＵ１１が２次電池２３の残量が不十分であると判定した場合には、例えば「２次電池の残量が不十分です。」といったメッセージが残量と共に表示される。その際、例えば「デフォルトで充電する」および「条件を指定して充電する」といった選択項目がラジオボタンと共に表示される。操作者がいずれかの項目を選択してＯＫボタンを押下すると、対応する処理がＣＰＵ１１により実行されることになる。
【００４２】
図７は、電源オフ処理の際に表示される設定画面の一例（充電の条件を指定する場合の例）を示す図である。
【００４３】
前述の図５、図６の設定画面において「条件を指定して充電する」が指定された場合には、図７のように「充電の条件を指定してください」といったメッセージが表示される。その際、操作者は、充電により達成すべき「残量（％）」と、充電を行うべき「時間」のうち、一方だけを指定してもよいし、両方を指定してもよい。操作者が値を入力してＯＫボタンを押下すると、指定内容に対応する処理がＣＰＵ１１により実行されることになる。
【００４４】
本実施形態で実現される２次電池２３の充電に関する制御機能を整理すると、以下の通りとなる。
【００４５】
１．電子機器１での電源オフ処理の時に、操作者に対し、シャットダウン後もＤＭＦＣ２２を稼動して２次電池２３の充電を行うべきか否かを確認する機能
（なお、充電を行わない場合には、ＤＭＦＣ２２の動作を停止させる）
２．２次電池の充電を行う場合
２．１．  「残量」の指定がある場合
２次電池２３の残量が指定された残量（％）に達するまで充電を実行させ、充電の完了後にＤＭＦＣ２２の動作を停止させる機能
２．２．  「時間」の指定がある場合
指定された時間分、２次電池の充電を実行させ、時間経過後にＤＭＦＣ２２の動作を停止させる機能
３．充電の途中で充電の停止が指示された場合
停止ボタンに相当する操作ボタン２６が押されたら、ＤＭＦＣ２２の動作を即座に停止させる機能
４．充電の途中で電子機器１の起動が指示された場合
充電を即座に中止し、電子機器１本体に電力を供給する機能
次に、図８を参照して、電子機器１本体の電源オフ処理の際にＣＰＵ１１により実行される燃料電池ユニット２の動作制御の手順を説明する。
【００４６】
操作者が電子機器１本体の電源ボタンもしくはＬＣＤ１４１を通じて電源オフ（もしくはＯＳのシャットダウン）を指示すると、ＣＰＵ１１は所定のプログラムを実行することにより、以下のような処理を遂行する。
【００４７】
まず、現在の２次電池の残量が閾値よりも少ないか否かが判定される（ステップＳ１）。閾値よりも少なくなければ、ＬＣＤ１４１上に「２次電池の残量は足りています」等のメッセージと共に、充電を行うべきか否かを操作者に指定させるための選択項目を表示する（図５参照）。
【００４８】
ここで「充電する」に該当する指定がなされなければ（ステップＳ２のＮｏ）、ＤＭＦＣ２２を停止させる（ステップＳ３）。一方、「充電する」に該当する指定がなされていれば（ステップＳ２のＹｅｓ）、それが「デフォルトで充電を行う」ことを指定しているのか、それとも「条件を指定して充電する」ことを指定しているのかが判定される（ステップＳ４）。
【００４９】
また、上記ステップＳ１にて現在の２次電池の残量が閾値よりも少ないと判定された場合（ステップＳ１のＹｅｓ）、ＬＣＤ１４１上に「２次電池の残量が不十分です」等のメッセージと共に、充電の仕方を操作者に指定させるための選択項目を表示する（図６参照）。そして、操作者が「デフォルトで充電を行う」ことを指定しているのか、それとも「条件を指定して充電する」ことを指定しているのかが判定される（ステップＳ４）。
【００５０】
「デフォルトで充電を行う」ことが指定されている場合（ステップＳ４のＹｅｓ）、燃料電池ユニット２側のマイコン２１に対し、所定の時間が経過するまでもしくは所定の残量に達するまで２次電池２３を充電するよう指示する（ステップＳ５）。
【００５１】
２次電池２３の充電が完了したか、もしくは操作者から充電の停止指示があった場合には（ステップＳ６のＹｅｓ）、充電を中止させ、ＤＭＦＣ２２を停止させる（ステップＳ３）。そうでなければ、操作者からの電源オンの指示があったか否かが判定される（ステップＳ７）。電源オンの指示がなければ（ステップＳ７のＮｏ）、充電を続ける。一方、電源オンの指示があった場合には（ステップＳ７のＹｅｓ）、燃料電池ユニット２側のマイコン２１に対し、充電を中止させ、電子機器１を電源オンさせる（ステップＳ８）。
【００５２】
上記ステップＳ４にて、操作者が「条件を指定して充電する」ことを指定していると判定された場合（ステップＳ４のＮｏ）、ＬＣＤ１４１上に「充電の条件を指定してください」等のメッセージと共に、「残量」や「時間」の値を入力するための欄を表示する（図７参照）。そして、具体的にどのような条件が指定されたかが判定される（ステップＳ９）。
【００５３】
「時間」が指定された場合には、その時間分だけ２次電池２３の充電を実行させる（ステップＳ１０ａ）。指定された時間が経過したか、もしくは操作者から充電の停止指示があった場合には（ステップＳ１１ａのＹｅｓ）、充電を中止させ、ＤＭＦＣ２２を停止させる（ステップＳ３）。そうでなければ、操作者からの電源オンの指示があったか否かが判定される（ステップＳ１２ａ）。電源オンの指示がなければ（ステップＳ１２ａのＮｏ）、充電を続ける。一方、電源オンの指示があった場合には（ステップＳ１２ａのＹｅｓ）、燃料電池ユニット２側のマイコン２１に対し、充電を中止させ、電子機器１を電源オンさせる（ステップＳ８）。
【００５４】
「時間」及び「残量」の両方が指定された場合には、その時間が経過するまで又はその残量に達するまで２次電池２３の充電を実行させる（ステップＳ１０ｂ）。指定された時間が経過したか、もしくは現在の残量が指定された残量に達したか、もしくは操作者から充電の停止指示があった場合には（ステップＳ１１ｂのＹｅｓ）、充電を中止させ、ＤＭＦＣ２２を停止させる（ステップＳ３）。そうでなければ、操作者からの電源オンの指示があったか否かが判定される（ステップＳ１２ｂ）。電源オンの指示がなければ（ステップＳ１２ｂのＮｏ）、充電を続ける。一方、電源オンの指示があった場合には（ステップＳ１２ｂのＹｅｓ）、燃料電池ユニット２側のマイコン２１に対し、充電を中止させ、電子機器１を電源オンさせる（ステップＳ８）。
【００５５】
「残量」が指定された場合には、その残量に達するまで２次電池２３の充電を実行させる（ステップＳ１０ｃ）。現在の残量が指定された残量に達したか、もしくは操作者から充電の停止指示があった場合には（ステップＳ１１ｃのＹｅｓ）、充電を中止させ、ＤＭＦＣ２２を停止させる（ステップＳ３）。そうでなければ、操作者からの電源オンの指示があったか否かが判定される（ステップＳ１２ｃ）。電源オンの指示がなければ（ステップＳ１２ｃのＮｏ）、充電を続ける。一方、電源オンの指示があった場合には（ステップＳ１２ｃのＹｅｓ）、燃料電池ユニット２側のマイコン２１に対し、充電を中止させ、電子機器１を電源オンさせる（ステップＳ８）。
【００５６】
このように、本実施形態によれば、電子機器１の電源オフ時に（もしくはＯＳのシャットダウン時に）２次電池２３の残量が十分にない場合、当該２次電池２３を充電してから電源オフが行われるので、電子機器１の次回の起動時にＤＭＦＣ２２の補機で必要とされる電力を確保することができる。
【００５７】
なお、本発明は、上述した実施形態に限定されるものではなく、その要旨を逸脱しない範囲内で種々変形して実施することが可能である。例えば、上記実施形態では２次電池２３の充電に関する各種の判定処理が電子機器１側（ＣＰＵ１１）で行われる場合を説明したが、当該判定処理の全て又は一部を燃料電池ユニット２側（マイコン２１）で行うように変形実施することも可能である。
【００５８】
【発明の効果】
以上詳記したように本発明によれば、起動時において燃料電池の補機を支障無く駆動できる。
【図面の簡単な説明】
【図１】本発明の一実施形態に係る電子機器システムの外観を示す図。
【図２】燃料電池ユニットの概略構成を示す図。
【図３】燃料電池ユニットの別の概略構成を示す図。
【図４】電子機器の概略構成を示す図。
【図５】電源オフ処理の際に表示される設定画面の一例（２次電池の残量が十分である場合の例）を示す図。
【図６】電源オフ処理の際に表示される設定画面の一例（２次電池の残量が不十分である場合の例）を示す図。
【図７】電源オフ処理の際に表示される設定画面の一例（充電の条件を指定する場合の例）を示す図。
【図８】電子機器本体の電源オフ処理の際にＣＰＵにより実行される燃料電池ユニットの動作制御の手順を示すフローチャート。
【符号の説明】１…電子機器、２…燃料電池ユニット、２１…マイコン、２２…ＤＭＦＣ、２３…２次電池、２４…充電回路、２５…供給制御回路、２６…操作ボタン、１４１…ＬＣＤ、１５１…キーボード、１５２…ポインティングデバイス、２２１…燃料タンク、２２２…燃料ポンプ、２２３…混合タンク、２２４…送液ポンプ、２２５…ＤＭＦＣセルスタック、２２６…送風ポンプ、２３１…Ｅ２ＰＲＯＭ。
【図１】
2004227832.tif 000003
【図２】
2004227832.tif 000004
【図３】
2004227832.tif 000005
【図４】
2004227832.tif 000006
【図５】
2004227832.tif 000007
【図６】
2004227832.tif 000008
【図７】
2004227832.tif 000009
【図８】
2004227832.tif 000010
【手続補正書】
【提出日】平成15年12月2日(2003.12.2)
【手続補正１】
【補正対象書類名】明細書
【補正対象項目名】００２６
【補正方法】変更
【補正の内容】
【００２６】
燃料タンク２２１のメタノールは、燃料ポンプ２２２により混合タンク２２３に送り込まれる。そして、このメタノールは、送液ポンプ２２４によりＤＭＦＣセルスタック２２５に送り込まれる。また、このＤＭＦＣセルスタック２２５には、送風ポンプ２２６により空気が送り込まれ、この空気中の酸素とメタノールとが反応して発電が行われる。